(57)【要約】【課題】使い易さを向上できるムーブメント、および時計を提供すること。【解決手段】ムーブメントは、少なくとも０段位置および１段位置で回転する巻真５１と、巻真５１と係合して巻真５１と一体で回転するスイッチ車５６と、巻真５１が１段位置にあるとき、スイッチ車５６の回転に応じてスイッチ車５６と接触し、かつ、巻真５１が０段位置にあるとき、スイッチ車５６が回転してもスイッチ車５６と接触しないスイッチ接点ばね体５７と、を備える。【選択図】図４
2015179052.tif 000002
【特許請求の範囲】
【請求項１】
少なくとも０段位置および１段位置で回転する巻真と、
前記巻真と係合して前記巻真と一体で回転するスイッチ車と、
前記巻真が前記１段位置にあるとき、前記スイッチ車の回転に応じて前記スイッチ車と接触し、かつ、前記巻真が前記０段位置にあるとき、前記スイッチ車が回転しても前記スイッチ車と接触しないスイッチ接点ばね体と、を備える
ことを特徴とするムーブメント。
【請求項２】
請求項１に記載のムーブメントにおいて、
前記巻真に係合し、かつ、前記巻真の移動に伴って移動するオシドリと、
前記オシドリに係合し、前記オシドリの移動に伴って移動するカンヌキと、を備え、
前記スイッチ車は、前記巻真の軸方向に移動可能に設けられ、前記カンヌキの移動に伴って、前記スイッチ接点ばね体と接触する位置および接触しない位置のいずれかに移動する
ことを特徴とするムーブメント。
【請求項３】
請求項２に記載のムーブメントにおいて、
前記オシドリは、突出部を備え、
前記カンヌキは、前記突出部によって位置決めされている
ことを特徴とするムーブメント。
【請求項４】
請求項３に記載のムーブメントにおいて、
前記カンヌキは、前記スイッチ車を前記スイッチ接点ばね体に近づける方向である第１方向と、前記スイッチ車を前記スイッチ接点ばね体と離間させる方向である第２方向とに移動可能に設けられ、
前記突出部は、前記カンヌキが前記第１方向に移動することは規制し、前記第２方向に移動することは許容する位置に設けられている
ことを特徴とするムーブメント。
【請求項５】
請求項２から請求項４のいずれかに記載のムーブメントにおいて、
前記オシドリを押さえるオシドリ押さえを備え、
前記オシドリ押さえは、前記スイッチ車が接触して移動した前記スイッチ接点ばね体の位置を、元の位置に戻す戻しばね部を備える
ことを特徴とするムーブメント。
【請求項６】
請求項１から請求項５のいずれかに記載のムーブメントにおいて、
前記巻真の位置を検出するためのスイッチレバーを備え、
前記巻真は、前記０段位置および前記１段位置に加えて２段位置で回転し、
前記スイッチ接点ばね体は、前記巻真が前記２段位置にあるとき、前記スイッチ車の回転に応じて前記スイッチ車と接触する
ことを特徴とするムーブメント。
【請求項７】
請求項１から請求項６のいずれかに記載のムーブメントを備える
ことを特徴とする時計。
【発明の詳細な説明】
【技術分野】
【０００１】
本発明は、時計用のムーブメント、および時計に関する。
【背景技術】
【０００２】
従来、リューズの回転を検出するための回転スイッチ機構を備えた時計が知られている（例えば、特許文献１参照）。
特許文献１の時計では、巻真と一体で回転するスイッチ車と、スイッチ車のカム形状によって先端部が押されることで回転するスイッチレバー（先端部がスイッチ接点ばね体を構成）とが備えられ、リューズの回転に伴ってスイッチレバーが移動して、回路基板に設けられた修正検出パターンと接触して導通する。そして、この導通状態を検出することで、リューズの回転を検出している。
そして、特許文献１の時計では、リューズが時計ケースに向かって押し込まれた通常の位置（０段位置）にあるときは、リューズを回転させることでスイッチレバーが移動して修正検出パターンと接触しても入力は行われないように設定されている。
【先行技術文献】
【特許文献】
【０００３】
【特許文献１】特開２００５−３００３７７号公報
【発明の概要】
【発明が解決しようとする課題】
【０００４】
しかしながら、前記時計では、リューズの位置によらず常にスイッチ接点ばね体がスイッチ車と噛み合っているため、リューズが０段位置にある場合でも、リューズを回転させると、利用者は抵抗感を感じる。
このため、利用者は、リューズを０段位置で回転させたとき、何ら入力が行われていないにも関わらず、抵抗感を感じることで入力が行われていると誤解する可能性がある。また、利用者は、入力が行われない０段位置において抵抗感を感じると、抵抗感に基づいて入力が行われているか否かを判断できなくなるおそれがあり、入力が行われる０段位置以外の位置（１段位置、２段位置）においてリューズを回転させて抵抗感を感じても、入力が行われていることを直感的に判断できない。このため、使い勝手がよくない。
【０００５】
本発明の目的は、使い易さを向上できるムーブメント、および時計を提供することにある。
【課題を解決するための手段】
【０００６】
本発明のムーブメントは、少なくとも０段位置および１段位置で回転する巻真と、前記巻真と係合して前記巻真と一体で回転するスイッチ車と、前記巻真が前記１段位置にあるとき、前記スイッチ車の回転に応じて前記スイッチ車と接触し、かつ、前記巻真が前記０段位置にあるとき、前記スイッチ車が回転しても前記スイッチ車と接触しないスイッチ接点ばね体と、を備えることを特徴とする。
【０００７】
ここで、０段位置は、リューズがムーブメントに向かって押し込まれた通常の位置であり、１段位置は、リューズが０段位置から１段引かれた位置である。
本発明によれば、リューズが０段位置にあるとき、スイッチ車が回転してもスイッチ接点ばね体はスイッチ車と接触しない。
このため、リューズが０段位置にあるとき、利用者は、リューズを回転させても抵抗感を感じることがないため、入力が行われていないことを直感的に把握できる。また、抵抗感に基づいて入力が行われているか否かを判断できるため、リューズが１段位置にあるとき、利用者は、リューズを回転させて抵抗感を感じることで、入力が行われていることを直感的に把握できる。これにより、使い易さを向上できる。
【０００８】
本発明のムーブメントにおいて、前記巻真に係合し、かつ、前記巻真の移動に伴って移動するオシドリと、前記オシドリに係合し、前記オシドリの移動に伴って移動するカンヌキと、を備え、前記スイッチ車は、前記巻真の軸方向に移動可能に設けられ、前記カンヌキの移動に伴って、前記スイッチ接点ばね体と接触する位置および接触しない位置のいずれかに移動することが好ましい。
【０００９】
本発明によれば、スイッチ車は巻真に対してオシドリおよびカンヌキによって機械的に連動して移動するため、スイッチ車を巻真の位置（０段位置、１段位置）に対応した位置に確実に移動させることができる。これにより、巻真が１段位置にあるとき、スイッチ車の回転に応じてスイッチ車とスイッチ接点ばね体とが接触し、かつ、巻真が０段位置にあるとき、スイッチ車が回転してもスイッチ車とスイッチ接点ばね体とが接触しないように、確実に設定できる。
【００１０】
本発明のムーブメントにおいて、前記オシドリは、突出部を備え、前記カンヌキは、前記突出部によって位置決めされていることが好ましい。
【００１１】
本発明によれば、巻真と直接連動するオシドリに設けられた突出部によってカンヌキを位置決めできるため、カンヌキを巻真の位置に対応した位置に確実に配置できる。この結果、スイッチ車を巻真の位置に対応した位置により確実に配置できる。
【００１２】
本発明のムーブメントにおいて、前記カンヌキは、前記スイッチ車を前記スイッチ接点ばね体に近づける方向である第１方向と、前記スイッチ車を前記スイッチ接点ばね体と離間させる方向である第２方向とに移動可能に設けられ、前記突出部は、前記カンヌキが前記第１方向に移動することは規制し、前記第２方向に移動することは許容する位置に設けられていることが好ましい。
【００１３】
本発明によれば、カンヌキが第１方向に移動した際、スイッチ車の歯がスイッチ接点ばね体と衝突し、スイッチ車とスイッチ接点ばね体とが噛み合わなかった場合、カンヌキは、第２方向に逃げることができる。これにより、リューズの操作によってムーブメントが壊れることを防止できる。
【００１４】
本発明のムーブメントにおいて、前記オシドリを押さえるオシドリ押さえを備え、前記オシドリ押さえは、前記スイッチ車が接触して移動した前記スイッチ接点ばね体の位置を、元の位置に戻す戻しばね部を備えることが好ましい。
【００１５】
本発明によれば、スイッチ接点ばね体の位置を元の位置に戻す戻しばねを、オシドリ押さえとは別の部材で構成する場合と比べて、部品点数を減らすことができ、ムーブメントのコストを低減できる。
【００１６】
本発明のムーブメントにおいて、前記巻真の位置を検出するためのスイッチレバーを備え、前記巻真は、前記０段位置および前記１段位置に加えて２段位置で回転し、前記スイッチ接点ばね体は、前記巻真が前記２段位置にあるとき、前記スイッチ車の回転に応じて前記スイッチ車と接触することが好ましい。
【００１７】
本発明によれば、リューズおよび巻真が１段位置および２段位置にあることを、スイッチレバーを用いて検出できる。また、リューズおよび巻真が１段位置および２段位置にあるときに、スイッチ車を回転させてスイッチ接点ばね体に接触させることができる。このため、リューズが２段位置にあるときは、１段位置での入力とは別の種類の命令を入力できるため、例えば、リューズが１段位置にあるときのみ入力できる場合と比べて、入力できる命令の種類を増やすことができる。これにより、リューズを操作することで実現できる機能を増やすことができる。
【００１８】
本発明の時計は、上記ムーブメントを備えることを特徴とする。
本発明によれば、上記ムーブメントと同様の効果を得ることができる。
【図面の簡単な説明】
【００１９】
【図１】本発明の実施形態に係る時計を示す正面図である。
【図２】前記時計を示す断面図である。
【図３】前記実施形態におけるムーブメントを示す部分平面図である。
【図４】前記実施形態における巻真が０段位置のときの回転スイッチ機構を示す平面図である。
【図５】巻真が０段位置のときの前記ムーブメントを示す部分断面図である。
【図６】巻真が１段位置のときの前記回転スイッチ機構を示す平面図である。
【図７】巻真が１段位置のときの前記ムーブメントを示す部分断面図である。
【図８】巻真が１段位置および２段位置にあるときの前記ムーブメントを示す部分断面図である。
【図９】巻真が２段位置のときの前記回転スイッチ機構を示す平面図である。
【図１０】巻真が２段位置のときの前記ムーブメントを示す部分断面図である。
【発明を実施するための形態】
【００２０】
以下、本発明の実施形態を図面に基づいて説明する。
［時計の構成］
図１は、時計１を示す正面図である。図２は、時計１の概略を示す断面図である。
図１、図２に示すように、時計１は、使用者の手首に装着される腕時計であり、円筒状のケース１１に、ベゼル１２が嵌合されて構成された外装ケース１０を備えている。このベゼル１２の内周側に、リング状のダイヤルリング１３を介して、円盤状の文字板１４が時刻表示部分として配置されている。外装ケース１０の二つの開口のうち、表面側の開口は、ベゼル１２を介してカバーガラス６１で塞がれており、裏面側の開口は裏蓋６２で塞がれている。
【００２１】
また、時計１は、外装ケース１０内に収容されたムーブメント４０、秒針２１、分針２２、時針２３を備えている。また、時計１は、クロノグラフ機能を有し、１／５秒クロノグラフ針２４、分クロノグラフ針２５、時クロノグラフ針２６を備えている。なお、時クロノグラフ針２６は、時計１の動作モード等の各種情報を表示するモード針としても機能する。
各指針２１〜２６は、ムーブメント４０に取り付けられ、ムーブメント４０により駆動される。各指針２１〜２６は、文字板１４の表面側に配置され、ムーブメント４０は、文字板１４の裏面側に配置されている。
【００２２】
また、図１に示すように、文字板１４には、カレンダー小窓１５が設けられており、カレンダー小窓１５からムーブメント４０の一部である日車４２の数字が視認可能となっている。この数字は、年月日の「日」を表す。
【００２３】
また、ダイヤルリング１３には、協定世界時（ＵＴＣ）との時差を表す時差情報１６が数字で表記されている。
また、ベゼル１２には、ダイヤルリング１３に表記されている時差情報１６の時差に対応した標準時を使用しているタイムゾーンの代表都市名を表す都市情報１７が、時差情報１６に併記されている。ここで、時差情報１６と都市情報１７との表記をタイムゾーン表示１８という。
【００２４】
外装ケース１０の側面には、文字板１４の中心より、８時方向の位置にＡボタン３１と、１０時方向の位置にＢボタン３２と、２時方向の位置にＣボタン３３と、４時方向の位置にＤボタン３４と、３時方向の位置にリューズ３５とが、設けられている。これらのＡボタン３１、Ｂボタン３２、Ｃボタン３３、Ｄボタン３４およびリューズ３５が操作されることにより、操作に応じた入力を行うことができる。
リューズ３５は、ムーブメント４０に向かって押し込まれた通常の位置（０段位置）から２段階引くことができる。１段引いた位置を１段位置といい、２段引いた位置を２段位置という。
【００２５】
図２に示すように、ムーブメント４０は、前述した日車４２に加えて、地板５０と、各指針２１〜２６、日車４２を駆動する駆動機構４７と、回路基板４３と、回路押さえ４５を備えている。
また、図２では図示していないが、その他に、ムーブメント４０は、後述する回転スイッチ機構４１と、耐磁板４４（図４参照）と、筒車押さえ４６（図４参照）等を備えている。
【００２６】
［回転スイッチ機構］
図３は、時計１のムーブメント４０を裏蓋６２側から見た部分平面図である。図４は、ムーブメント４０の回転スイッチ機構４１を裏蓋６２側から見た平面図である。図５は、ムーブメント４０を、巻真５１の軸方向と直交する方向から見た部分断面図である。なお、図３〜図５は、巻真５１が０段位置にある場合を示している。
図３に示すように、ムーブメント４０は、地板５０に支持されリューズ３５に係合された巻真５１を含む回転スイッチ機構４１を備えている。
【００２７】
図３、図４に示すように、回転スイッチ機構４１は、巻真５１、オシドリ５２、スイッチレバー５３、クリックばね５４、カンヌキ５５、スイッチ車５６、スイッチ接点ばね体５７、スイッチ接点ばね５８、オシドリ押さえ５９を備えている。
オシドリ５２、カンヌキ５５、オシドリ押さえ５９は、地板５０側から、この順番で配置されている。また、スイッチレバー５３は、オシドリ５２とオシドリ押さえ５９との間に配置され、クリックばね５４は、オシドリ５２と同じ層に配置されている。スイッチ接点ばね体５７、スイッチ接点ばね５８は、地板５０とオシドリ押さえ５９との間に配置され、地板５０側からこの順番で配置されている。
【００２８】
巻真５１は、リューズ３５と係合されており、リューズ３５を引くことで軸方向に移動する。すなわち、巻真５１は、通常は０段位置にあり、リューズ３５を引くことで、１段位置、または、２段位置に移動する。
また、図４、図５に示すように、巻真５１には、オシドリ５２と係合する係合溝５１１が設けられている。
【００２９】
図４に示すように、オシドリ５２は、軸５０１を中心に回動自在に軸支されている。オシドリ５２の端部５２１は、巻真５１の係合溝５１１と係合する。これにより、オシドリ５２は、巻真５１に連動し、軸５０１を中心に回転する。
また、オシドリ５２の他の端部５２２は、クリックばね５４に設けられた係合溝と係合する。
また、オシドリ５２には、カンヌキ５５を位置決めする突出部（ダボ）５２３が設けられている。
【００３０】
スイッチレバー５３は、オシドリ５２に固定されている。これにより、スイッチレバー５３は、オシドリ５２と一体で、軸５０１を中心に回転する。
スイッチレバー５３の先端部５３１は、回路基板４３（図５参照）の裏面に設けられた電極層４３１（図５参照）と接触する。電極層４３１は、異なる位置に設けられた３つの電極を備え、巻真５１が、０段位置、１段位置、２段位置にあるとき、スイッチレバー５３の先端部５３１は、それぞれ異なる電極に接触して導通する。このため、先端部５３１がどの電極と接触しているかを検出することで、巻真５１の位置、すなわち、リューズ３５の位置が、０段位置、１段位置、２段位置のいずれであるかを検出できる。
【００３１】
クリックばね５４は、軸５０６に軸支されている。クリックばね５４には、オシドリ５２の端部５２２と係合する３つの係合溝５４３，５４４，５４５が設けられている。巻真５１が０段位置にある場合、端部５２２は、係合溝５４３に係合している。
また、クリックばね５４のばね部５４２は、地板５０に設けられた突起部５０２を押圧するように取り付けられており、これにより、端部５４１は、オシドリ５２の端部５２２を押す方向に付勢されている。
クリックばね５４は、オシドリ５２の端部５２２を、係合溝５４３〜５４５のいずれかと係合させることで、リューズ３５の押込み時および引き出し時に、オシドリ５２の位置を規制し、巻真５１の位置、すなわち、リューズ３５の位置を、０段位置、１段位置、２段位置に規制するとともに、利用者にクリック感を与えている。
【００３２】
カンヌキ５５は、軸５０３に軸支されている。カンヌキ５５のばね部５５３は、地板５０に設けられた突起部５０４を押圧するように取り付けられており、これにより、カンヌキ５５は、端部５５１が時計中心方向に向かうように付勢されている。ここで、カンヌキ５５は、撓むことで、端部５５１が時計中心方向に向かう方向と、端部５５１が時計外縁方向に向かう方向とに移動可能に設けられている。すなわち、カンヌキ５５は、スイッチ車５６をスイッチ接点ばね体５７に近づける方向である第１方向と、スイッチ車５６をスイッチ接点ばね体５７と離間させる方向である第２方向とに移動可能に設けられている。
また、カンヌキ５５における時計中心側の側面には、オシドリ５２に設けられた突出部５２３と当接する側面部５５２が設けられている。側面部５５２に突出部５２３が当接することで、カンヌキ５５の位置は規制される。すなわち、カンヌキ５５の位置は、突出部５２３によって決められている。つまり、突出部５２３は、カンヌキ５５が時計中心方向に移動することは規制し、時計外縁方向に移動することは許容する位置に配置されている。すなわち、突出部５２３は、カンヌキ５５が第１方向に移動することは規制し、第２方向に移動することは許容する位置に配置されている。
また、カンヌキ５５の端部５５１は、巻真５１に取り付けられたスイッチ車５６の係合溝５６１と係合する。
【００３３】
図４、図５に示すように、スイッチ車５６は、歯車５６２と、カンヌキ５５の端部５５１と係合する係合溝５６１とを備えている。スイッチ車５６には、回転中心を通る孔が設けられており、この孔に巻真５１が挿通している。
巻真５１の断面形状が矩形であるため、スイッチ車５６は、巻真５１に対して、巻真５１の軸方向に移動自在であり、かつ、回転できないように取り付けられている。
すなわち、スイッチ車５６は、カンヌキ５５に連動して、巻真５１の軸方向に沿って移動し、かつ、巻真５１と係合して巻真５１と一体で回転する。
【００３４】
スイッチ接点ばね体５７は、裏蓋６２側から見た平面視において巻真５１と重なる位置に配置された軸５０５に回動自在に軸支されている。これにより、スイッチ接点ばね体５７は、軸５０５を中心にして回転する。また、スイッチ接点ばね体５７には、突出部５７２が設けられている。
スイッチ接点ばね体５７が基準位置にあるとき、スイッチ接点ばね体５７の接触部５７１は、前記平面視において巻真５１と重なる位置に配置されている。
また、巻真５１が０段位置にあるとき、接触部５７１は、スイッチ車５６の歯車５６２とは、巻真５１の軸方向に離間して配置されている。すなわち、接触部５７１は、歯車５６２と噛み合っていない。このため、巻真５１と一体でスイッチ車５６が回転しても、歯車５６２が接触部５７１と接触することはない。
【００３５】
スイッチ接点ばね５８は、スイッチ接点ばね体５７に固定されている。これにより、スイッチ接点ばね５８は、スイッチ接点ばね体５７と一体で、軸５０５を中心に回転する。
また、スイッチ接点ばね５８の先端部５８１は、回路基板４３に設けられた孔４３２に挿通されている。
【００３６】
図４に示すように、オシドリ押さえ５９は、軸５０３，５０６，５０７によって位置決めされており、軸５０６にネジで固定されている。そして、オシドリ押さえ５９は、オシドリ５２、スイッチレバー５３、クリックばね５４、カンヌキ５５を、地板５０に向かって押さえ、これらの部品の地板５０からの脱落を防止している。
また、オシドリ押さえ５９は、戻しばね部５９１と、スイッチ接点ばね押さえ部５９２とを備えている。
【００３７】
戻しばね部５９１の先端部５９１Ａは、屈曲した側面を備え、スイッチ接点ばね体５７が基準位置にあるとき、当該側面の屈曲点が、スイッチ接点ばね体５７の突出部５７２に当接している。そして、スイッチ車５６の歯車５６２によってスイッチ接点ばね体５７が回転すると、突出部５７２が先端部５９１Ａの屈曲点から側面に沿って移動し、当該側面を時計中心方向に押す。これにより、戻しばね部５９１が撓み、突出部５７２は、戻しばね部５９１により元の位置に戻る方向に付勢される。そして、スイッチ車５６とスイッチ接点ばね体５７との接触が解消されたとき、戻しばね部５９１によってスイッチ接点ばね体５７は元の位置に戻る。
【００３８】
スイッチ接点ばね押さえ部５９２は、円弧状に湾曲した先端部５９２Ａを備え、先端部５９２Ａによりスイッチ接点ばね体５７、スイッチ接点ばね５８を、地板５０に向かって押さえている。これにより、スイッチ接点ばね体５７およびスイッチ接点ばね５８が、軸５０５を中心にして回転する際、回転平面に対して傾くことを防止している。
なお、上述した軸５０１，５０３，５０６，５０７は、裏蓋６２側から見た平面視において、巻真５１に対して、すべて同じ側に配置されている。
【００３９】
［１段位置に引き出した際の動作］
次に、巻真５１が０段位置から１段位置に引かれた際の動作について説明する。
図６は、巻真５１が１段位置にあるときの回転スイッチ機構４１を裏蓋６２側から見た平面図である。図７は、巻真５１が１段位置にあるときのムーブメント４０を、巻真５１の軸方向と直交する方向から見た部分断面図である。
図６に示すように、巻真５１が０段位置から１段位置に引かれると、オシドリ５２は巻真５１に連動して、軸５０１を中心に裏蓋６２側から見て反時計回りに回転し、オシドリ５２の端部５２２は、クリックばね５４の係合溝５４４と係合する。
また、オシドリ５２が回転することで、突出部５２３の位置が移動し、これに伴い、カンヌキ５５の端部５５１は、時計中心方向に移動する。さらに、これに伴い、図６、図７に示すように、スイッチ車５６は、カンヌキ５５の端部５５１に押されて時計中心方向（スイッチ接点ばね体５７に近づく方向）に移動し、歯車５６２が、スイッチ接点ばね体５７の接触部５７１と噛み合う。これにより、巻真５１と一体で歯車５６２が回転すると、歯車５６２は、接触部５７１と接触する。
【００４０】
図８は、ムーブメント４０を巻真５１の軸方向から見た部分断面図である。
図８に示すように、スイッチ接点ばね５８の先端部５８１は、前述したように、回路基板４３に設けられた孔４３２に挿通している。
スイッチ車５６が回転すると、歯車５６２にスイッチ接点ばね体５７の接触部５７１が接触して押され、スイッチ接点ばね体５７およびスイッチ接点ばね５８は移動する。このとき、スイッチ接点ばね５８の先端部５８１は、歯車５６２の回転方向に応じて、回路基板４３における孔４３２の一方の内側面に形成された電極４３３、および、他の一方の内側面に形成された電極４３４のいずれかと接触する。具体的には、歯車５６２が図中時計回りに回転すると、スイッチ接点ばね５８の先端部５８１は、図中右方向に移動して電極４３３と接触し、歯車５６２が図中反時計回りに回転すると、先端部５８１は、図中左方向に移動して電極４３４と接触する。これにより、スイッチ接点ばね５８がどちらの電極と接触したかを検出することで、巻真５１の回転方向、すなわち、リューズ３５の回転方向を検出できる。
【００４１】
本実施形態では、リューズ３５が１段位置にあるとき、リューズ３５を回転させると、タイムゾーンの設定を修正できる。すなわち、１段位置にあるリューズ３５を回転させると指針２４が移動する。指針２４が指示するタイムゾーン表示１８に対応して、時計１が記憶しているタイムゾーンが修正される。
【００４２】
［２段位置に引き出した際の動作］
次に、巻真５１が１段位置から２段位置に引かれた際の動作について説明する。
図９は、巻真５１が２段位置にあるときの回転スイッチ機構４１を裏蓋６２側から見た平面図である。図１０は、巻真５１が２段位置にあるときのムーブメント４０を、巻真５１の軸方向と直交する方向から見た部分断面図である。
巻真５１が１段位置から２段位置に引かれると、図９に示すように、オシドリ５２は巻真５１に連動し、軸５０１を中心に裏蓋６２側から見て反時計回りに回転し、オシドリ５２の端部５２２は、クリックばね５４の係合溝５４５と係合する。
このとき、オシドリ５２が回転することで、突出部５２３の位置が移動するが、カンヌキ５５の側面部５５２の形状との関係で、カンヌキ５５はほとんど移動しない。すなわち、スイッチ車５６は、巻真５１が１段位置にあるときと、ほぼ同じ場所に位置している。このため、巻真５１と一体で歯車５６２が回転すると、歯車５６２は、スイッチ接点ばね体５７の接触部５７１と接触する。
【００４３】
リューズ３５が２段位置にあるとき、ボタンを操作し、リューズ３５を回転させることで、各指針２１〜２６や、日車４２の基準位置合わせを行うことができる。また、リューズ３５が２段位置にあるとき、所定のボタンを操作することで、システムリセットを行うことができる。
【００４４】
［０段位置に押し込んだ際の動作］
なお、２段位置や１段位置にあるリューズ３５および巻真５１を、ムーブメント４０の方向に押し込んで０段位置に戻すと、オシドリ５２は裏蓋６２側から見て時計回りに回転し、図４に示すように、オシドリ５２の端部５２２は、クリックばね５４の係合溝５４３と係合する。これに伴い、オシドリ５２の突出部５２３が移動し、この突出部５２３に当接しているカンヌキ５５も移動する。このため、カンヌキ５５の端部５５１およびスイッチ車５６が時計外縁方向（スイッチ接点ばね体５７と離間する方向）に移動する。これにより、リューズ３５を回転しても、スイッチ車５６はスイッチ接点ばね体５７に接触しなくなり、入力も行われない。
【００４５】
［実施形態の作用効果］
リューズ３５が０段位置にあるとき、スイッチ車５６が回転してもスイッチ接点ばね体５７はスイッチ車５６と接触しないため、利用者は、リューズ３５を回転させても抵抗感を感じることがないため、入力が行われていないことを直感的に把握できる。また、リューズ３５が１段位置および２段位置にあるとき、利用者は、リューズ３５を回転させて抵抗感を感じることで、入力が行われていることを直感的に把握できる。これにより、使い易さを向上できる。
また、リューズ３５を０段位置で回転させても、スイッチ車５６はスイッチ接点ばね体５７と接触しないため、スイッチ接点ばね５８やオシドリ押さえ５９の戻しばね部５９１等の部品が撓むことがない。このため、当該部品の劣化を抑制できる。
【００４６】
リューズ３５が０段位置にあるとき、リューズ３５を回転させても、スイッチ接点ばね５８は、回路基板４３の電極４３３，４３４と接触しないため、入力が行われない状態で、検出電流が流れて消費電流が増加することを抑制できる。
【００４７】
スイッチ車５６は巻真５１に対してオシドリ５２およびカンヌキ５５によって機械的に連動して移動するため、スイッチ車５６を巻真５１の位置（０段位置、１段位置、２段位置）に対応した位置に確実に移動させることができる。これにより、巻真５１が１段位置および２段位置にあるとき、スイッチ車５６を、回転させることでスイッチ接点ばね体５７と接触する位置に確実に移動させることができ、巻真５１が０段位置にあるとき、スイッチ車５６を、回転させてもスイッチ接点ばね体５７と接触しない位置に確実に移動させることができる。
【００４８】
巻真５１と直接連動するオシドリ５２に設けられた突出部５２３によってカンヌキ５５を位置決めしているため、カンヌキ５５を巻真５１の位置に対応した位置により確実に配置できる。
【００４９】
カンヌキ５５の端部５５１が時計中心方向に移動した際、スイッチ車５６の歯車５６２の歯がスイッチ接点ばね体５７の接触部５７１と衝突し、スイッチ車５６とスイッチ接点ばね体５７とが噛み合わなかった場合、カンヌキ５５の端部５５１は、時計外縁方向に逃げることができるため、リューズ３５を引き出す操作によってムーブメント４０が壊れることを防止できる。また、この場合、リューズ３５を回転させて歯車５６２の歯の位置をずらすことで、スイッチ車５６とスイッチ接点ばね体５７とを噛み合わせることができる。
【００５０】
オシドリ押さえ５９が、戻しばね部５９１を備えるため、スイッチ接点ばね体５７の位置を元の位置に戻す戻しばねを、オシドリ押さえ５９とは別の部材で構成する場合と比べて、部品点数を減らすことができ、ムーブメント４０のコストを低減できる。
また、オシドリ押さえ５９が、スイッチ接点ばね押さえ部５９２を備えるため、オシドリ押さえ５９によって、前述したように、スイッチ接点ばね体５７およびスイッチ接点ばね５８の傾きを防止できる。
【００５１】
リューズ３５および巻真５１が１段位置および２段位置にあることを、スイッチレバー５３を用いて検出でき、また、リューズ３５および巻真５１が１段位置および２段位置にあるときに、スイッチ車５６を回転させてスイッチ接点ばね体５７に接触させることができる。このため、リューズが２段位置にあるときは、１段位置での入力とは別の種類の命令を入力できるため、例えば、リューズ３５が１段位置にあるときのみ入力できる場合と比べて、入力できる命令の種類を増やすことができ、リューズ３５を操作することで実現できる機能を増やすことができる。
【００５２】
［他の実施形態］
なお、本発明は前記各実施形態の構成に限定されず、本発明の要旨の範囲内で種々の変形実施が可能である。
例えば、前記実施形態では、巻真５１に連動するオシドリ５２やカンヌキ５５を用いてスイッチ車５６を移動させることで、スイッチ車５６とスイッチ接点ばね体５７との噛み合いを制御しているが、本発明はこれに限定されない。例えば、スイッチレバー５３を用いて巻真５１の位置を電気的に検出し、この検出結果に基づいて、例えば、圧電モーター等を用いてスイッチ車５６を移動させ、前記噛み合いを制御してもよい。
【００５３】
前記実施形態では、リューズ３５は１段位置および２段位置に引き出せるが、１段位置にのみ引き出せる構成であってもよい。この場合、０段位置と１段位置とは、入力があるかないかで判定できるため、巻真５１の位置を検出するためのスイッチレバー５３はなくてもよい。
【００５４】
前記実施形態では、巻真５１が、０段位置から１段位置に移動すると、カンヌキ５５の端部５５１は時計中心方向に移動するが、本発明はこれに限定されない。例えば、時計外縁方向に移動する構成としてもよい。この場合、例えば、スイッチ車５６は、巻真５１が０段位置から１段位置に移動したとき、時計外縁方向に移動し、スイッチ接点ばね体５７は、スイッチ車５６に対して、時計外縁方向に配置される。また、オシドリ５２に設けられた突出部５２３は、カンヌキ５５に対して、時計外縁方向に配置される。このような構成とすることで、巻真５１を０段位置から１段位置に移動させた際に、スイッチ車５６とスイッチ接点ばね体５７とが噛み合わなかった場合、カンヌキ５５の端部５５１は、時計中心方向に逃げることができる。
【００５５】
前記実施形態では、時計１は、クロノグラフ機能を備えていたが、クロノグラフ機能に替えて、または、追加して、小時計を備えていてもよい。小時計は、基本時計とは異なる時刻を表示でき、例えば、外国に旅行しているとき、基本時計で旅行先の時刻を表示させ、小時計で日本の時刻を表示させることができる。
この場合、リューズ３５が１段位置にあるとき、リューズ３５を回転させることで、小時計の表示時刻を修正できる。
【符号の説明】
【００５６】
１…時計、３５…リューズ、４０…ムーブメント、４１…回転スイッチ機構、４３…回路基板、５１…巻真、５１１，５４３〜５４５、５６１…係合溝、５２…オシドリ、５２３，５７２…突出部、５３…スイッチレバー、５４…クリックばね、５５…カンヌキ、５５２…側面部、５６…スイッチ車、５６２…歯車、５７…スイッチ接点ばね体、５８…スイッチ接点ばね、５９…オシドリ押さえ、５９１…戻しばね部、５９２…スイッチ接点ばね押さえ部。
【図１】
2015179052.tif 000003
【図２】
2015179052.tif 000004
【図３】
2015179052.tif 000005
【図４】
2015179052.tif 000006
【図５】
2015179052.tif 000007
【図６】
2015179052.tif 000008
【図７】
2015179052.tif 000009
【図８】
2015179052.tif 000010
【図９】
2015179052.tif 000011
【図１０】
2015179052.tif 000012